(57)【特許請求の範囲】
【請求項１】
扉の厚み方向に平行に配置した２個のソレノイドと、
上記２個のソレノイドの間に配置され、上記ソレノイドのプランジャに平行な施錠棒と、
上記２個のソレノイドのプランジャと上記施錠棒とを連結する連結部材と
を備え、
上記ソレノイドのプランジャと上記連結部材との間を、皿ビスで固定したことを特徴とする自動扉開閉装置の電磁錠。
【請求項２】
請求項１による自動扉開閉装置の電磁錠において、
扉の厚み方向に平行に配置した上記施錠棒に直接または間接に接続された可撓部材を備えて、上記施錠棒を上記可撓部材を介して手動操作できることを特徴とする自動扉開閉装置の電磁錠。
【請求項３】
請求項１または２による自動扉開閉装置の電磁錠において、
上記プランジャを起動するときに上記ソレノイドに高電圧を印加する一方、上記プランジャを保持するときには上記ソレノイドに低電圧を印加する電気回路を備えることを特徴とする自動扉開閉装置の電磁錠。
【請求項４】
請求項１または２による自動扉開閉装置の電磁錠において、上記プランジャと上記連結部材とを、弾性部材を介して連結したことを特徴とする自動扉開閉装置の電磁錠。
【発明の詳細な説明】
【０００１】
【発明の属する技術分野】
この発明は、自動扉開閉装置の電磁錠に関する。
【０００２】
【従来の技術】
従来、自動扉開閉装置の電磁錠としては、図７に示すようなものがある。この電磁錠１００は、ベース板１０１に、扉の幅方向に配置したソレノイド１０２と、上記ソレノイド１０２のプランジャ１０３と、軸を鉛直に配置した円柱形の施錠棒１０５と、軸１０６を中心に旋回するホーク１０７とを備える。このホーク１０７でプランジャ１０３の突出端と上記施錠棒１０５とを接続して、プランジャ１０３で施錠棒１０５を昇降できるようにしている。
【０００３】
上記自動扉開閉装置は、建物の出入口の枠体に設けられ、扉の上端部を吊下げると共に、上記扉を幅方向に移動させて上記出入口を開閉するようになっている。上記電磁錠１００は、上記扉の上方に設置されている。
【０００４】
上記構成の電磁錠１００の動作を、以下に説明する。上記電磁錠１００のソレノイド１０２に通電していない場合、上記施錠棒１０５は図示しないバネによって下向きに付勢される。この場合、上記施錠棒１０５は、電磁錠１００の下方に位置する扉の上端部に設けられた鍵穴に係止して、上記扉をロックする。一方、上記ソレノイド１０２に通電すると、上記プランジャ１０３がソレノイド１０２の内側に没入させられて、プランジャ１０３の突出端に接続するホーク１０７の上端部を、図７において左側に動かす。そうすると、このホーク１０７は、施錠棒１０５を上側に上昇させる。すなわち、この施錠棒１０５は、上記バネの下方向の付勢力に抗して上向きに駆動され、上記鍵穴との係合が解かれて上記扉のロックが解除する。
【０００５】
上記電磁錠１００のソレノイド１０２の図示しないコイルは、上記バネの付勢力に抗して施錠棒１０５を駆動するために大きな駆動力が必要なので、大型である。一方、上記自動扉駆動装置は建物の出入口上方の梁や壁と寸法を合わせるため、奥行きと高さが小さい。したがって、この自動扉駆動装置の中に設置する電磁錠１００も、奥行きと高さを小さくしている。そのため、電磁錠１００は、上記大型のソレノイド１０２を扉の幅方向に配置して、電磁錠１００の高さが小さくなるようにしている。そして、水平方向に作動する上記ソレノイド１０２によって、上記施錠棒１０５を鉛直方向に駆動するために、上記プランジャ１０３と施錠棒１０５との間に、力の方向を水平方向から鉛直方向に変換するホーク１０７を配置している。
【０００６】
【発明が解決しようとする課題】
しかしながら、上記従来の自動扉開閉装置の電磁錠１００は、ソレノイド１０２による力の方向を変換するホーク１０７を備えているので、機構は複雑で、部品点数も多い。そのため、上記電磁錠１００は故障し易いという問題がある。
【０００７】
また、上記電磁錠１００は部品点数が多く、構造が複雑なので、電磁錠１００の製造コストが高いという問題がある。
【０００８】
さらに、上記ソレノイド１０２は大型で、かつ、ホーク１０７を介して施錠棒１０５を駆動するので、施錠棒１０５を駆動する効率が悪いという問題がある。
【０００９】
そこで、この発明の目的は、部品点数が少なくて構造が簡単で故障し難く、かつ、製造コストが安価で、さらに、小さい力で施錠棒を駆動できる小型で効率の良い電磁錠を提供することにある。
【００１０】
【課題を解決するための手段】
上記目的を達成するため、請求項１の発明の自動扉開閉装置の電磁錠は、
扉の厚み方向に平行に配置した２個のソレノイドと、
上記２個のソレノイドの間に配置され、上記ソレノイドのプランジャに平行な施錠棒と、
上記２個のソレノイドのプランジャと上記施錠棒とを連結する連結部材と
を備え、
上記ソレノイドのプランジャと上記連結部材との間を、皿ビスで固定したことを特徴としている。
【００１１】
請求項１の自動扉開閉装置の電磁錠によれば、上記２個のソレノイドを扉の厚み方向に互いに平行に配置して、この２個のソレノイドで連結部材を介して上記施錠棒を駆動するようにしている。すなわち、上記ソレノイドを２個平行に配置して２連のソレノイドで施錠棒を駆動することによって、ソレノイドを比較的小さいものとして、ソレノイドを扉の厚み方向に配置することができるようにしている。また、上記ソレノイドのプランジャを施錠棒の移動方向に平行に駆動するので、従来におけるようなソレノイドの力の方向を変換するホークが不要である。そのため、電磁錠を構成する部品は少なく、電磁錠の構造は簡単である。したがって、この電磁錠は故障し難く、また、部品点数が少ないので製造コストは安価である。さらに、この電磁銃のソレノイドは上記従来のホークを介さずに施錠棒を駆動するので小出力のソレノイドでよく、したがって、電磁錠の効率が良い。
【００１２】
請求項２の発明の自動扉開閉装置の電磁錠は、請求項１による自動扉開閉装置の電磁錠において、扉の厚み方向に平行に配置した上記施錠棒に直接または間接に接続された可撓部材を備えて、上記施錠棒を上記可撓部材を介して手動操作できることを特徴としている。
【００１３】
請求項２の発明の自動扉開閉装置の電磁錠によれば、上記可撓部材を操作すると、上記施錠棒を手動で駆動して解錠できる。したがって、停電等でソレノイドに通電できなくなった場合に、手動で自動扉の錠を操作できる。
【００１４】
なお、請求項２の発明は、特にソレノイドが非通電のときに施錠する停電施錠型の電磁錠の場合に有効で、停電時でも手動で解錠ができる。
【００１５】
請求項３の発明の自動扉開閉装置の電磁錠は、請求項１または２による自動扉開閉装置の電磁錠において、
上記プランジャを起動するときに上記ソレノイドに高電圧を印加する一方、上記プランジャを保持するときには上記ソレノイドに低電圧を印加する電気回路を備えることを特徴としている。
【００１６】
請求項３の発明の自動扉開閉装置の電磁錠によれば、上記施錠棒を駆動する際に、上記ソレノイドに高電圧を印加して確実にソレノイドを起動する。一方、上記施錠棒を保持して施錠状態または解錠状態を保つ場合は、上記ソレノイドに低電圧を印加してソレノイドを保持する。すなわち、この電磁錠は確実に上記施錠棒を駆動して施錠または解錠すると共に、施錠状態または解錠状態において、印加電圧を低くして、エネルギーのロスを少なくし、かつ、ソレノイドのコイルの耐久性を増す。
【００１７】
請求項４の発明の自動扉開閉装置の電磁錠は、請求項１または２による自動扉開閉装置の電磁錠において、上記プランジャと上記連結部材とを、弾性部材を介して連結したことを特徴としている。
【００１８】
請求項４の発明の自動扉開閉装置の電磁錠によれば、上記連結部材と上記２個のプランジャを、弾性部材を介して互いに柔軟に連結している。そのため、上記２個のソレノイドが２個のプランジャを起動するタイミングが完全に一致しなくても、また、プランジャと施錠棒と連結棒の加工精度が多少低くても、上記弾性部材が上記２個のソレノイドの起動のずれおよび加工誤差を吸収して、上記ソレノイドのプランジャおよび施錠棒は滑らかに駆動されて、ソレノイドとプランジャの間に、いわゆるこじれを生じない。したがって、上記ソレノイドは、滑らかかつ確実に上記施錠棒を駆動して、上記電磁錠は確実に施錠または解錠する。
【００１９】
【発明の実施の形態】
以下、この発明を図示の実施の形態により詳細に説明する。
【００２０】
図１は、この発明による自動扉開閉装置の電磁錠の正面図であり、図２は平面図である。この電磁錠１は、扉の厚み方向に平行に配置した２個のソレノイド２，２を備える。各ソレノイド２は、図示しないコイルとプランジャ３と図示しないスプリングとを備えて、非通電時にスプリングのバネ力でプランジャ３が突出するようになっている。さらに、上記２個のソレノイド２，２の間に、上記プランジャ３，３に平行に配置された施錠棒５を備える。上記２個のプランジャ３，３と上記施錠棒５は、連結部材６によって連結されている。上記ソレノイド２，２、プランジャ３，３、施錠棒５および連結部材６は、略逆L字型の断面を有する取付け部材７に取付けられている。
【００２１】
図３は、この電磁錠１の側面図であって、図１の左側から電磁錠１を見た様子を示している。図３に示すように、可撓部材の１例としてのワイヤ１１が、接続部材１２を介して施錠棒５に接続されている。
【００２２】
この電磁錠１は、建物の出入口の上方に配置された自動扉開閉装置の中に設置される。図４は、上記自動扉開閉装置の構造を示す正面図である。この自動扉開閉装置１５は、扉１８を幅方向に駆動するベルト２０を備える。上記扉１８は、左側吊具２２および右側吊具２３によって吊下げられている。上記左側吊具２２は上記ベルト２０に接続していて、さらに、上記電磁錠１の施錠棒５が係合する係合部材２５を備えている。上記電磁錠１は、ソレノイド２，２を上記扉１８の厚み方向に向けて、上記左側吊具２２の係合部材２５に対向可能な高さで、上記ベルト２０の背面側に配置されている。
【００２３】
さらに、この電磁錠１は、図５に示す回路を備える。この回路３０は、高電圧発生回路３１と低電圧発生回路３２を有する。スイッチ３４は、制御部３５によってソレノイド２，２のコイルを高電圧発生回路３１と低電圧発生回路３２と短絡状態とに切換接続する。
【００２４】
上記構成の自動扉開閉装置の電磁錠１の動作を以下に説明する。
【００２５】
上記扉１８が閉じているとき、扉１８の左側吊具２２に接続された上記係合部材２５は、上記電磁錠１の前面側に位置する。このとき、電磁錠１の施錠棒５は、図示しないバネによって電磁錠１の前面側に付勢されて上記係合部材２５に係止して、上記扉１８をロックしている。このとき、図５の回路図において、スイッチ３４はソレノイド２，２のコイルを短絡状態に接続して、上記コイルには通電していない。
【００２６】
扉１８のロックを解除する場合は、図５の回路図において、制御部３５の命令によって、スイッチ３４が高電圧回路３１をソレノイド２のコイルに接続する。そうすると、上記ソレノイド２，２のコイルに高電圧が印加されて、プランジャ３，３がソレノイド２，２の中に没入させられる。そうすると、施錠棒５は上記連結部材６を介して、上記スプリングの付勢力に抗して電磁錠１の背面方向に駆動さる。そして、施錠棒５の上記係合部材２５との係合が解けて、上記扉１８のロックは解除する。上記施錠棒５が電磁錠１の背面方向に移動し終えると、上記制御部３５はスイッチ３４に命令して、ソレノイド２，２のコイルを低電圧回路３２に切り換えさせる。そうすると、上記ソレノイド２，２のコイルに印加される電圧は低電圧に切り換わって、ソレノイド２，２はプランジャ３，３を没入したまま保持して、施錠棒５は上記係合部材２５との係合を解かれたまま保持される。このとき、ソレノイド２，２に印加する電圧は、上記施錠棒５に作用するバネの付勢力に対抗して、扉１８の解錠状態を維持する最小限の電圧にしている。
【００２７】
再び扉１８をロックする場合、制御部３５はスイッチ３４に命令して、ソレノイド２，２のコイルと低電圧回路３２との接続を、上記コイルの短絡状態に切換える。そうすると、ソレノイド２，２がプランジャ３，３を保持する力がなくなって、施錠棒５はスプリングに付勢されて係合部材２５側に移動して係合部材２５に係合して、扉１８は再びロックされる。
【００２８】
例えば停電等によって、この自動扉開閉装置の電磁錠１が非通電になると、上記ソレノイド２，２のコイルに印加する電圧が無くなって、プランジャ３，３を保持する力が無くなる。このとき、扉１８が閉じていると、電磁錠１の前面に係合部材２５が位置しているので、施錠棒５はバネに付勢されて係合部材２５と係合して、扉１８はロックされたままになる。この場合、図３で示したワイヤ１１を引っ張ると、接続部材１２を介して施錠棒５を電磁錠１の背面方向に手動で移動できる。そうすると、施錠棒５の係合部材２５との係合が解かれて、扉１８のロックを手動で解除できる。
【００２９】
上記電磁錠１は、２連のソレノイド２，２で施錠棒５を駆動するので、比較的小型のソレノイドで良く、そのため、扉１８の厚み方向、すなわち電磁錠１の奥行き方向に配置できる。そのため、電磁錠１の奥行きを有効に利用して高さと幅を小さくして、電磁錠１を小型にできる。また、施錠棒５は上記２連のソレノイド２，２に平行に配置されて、上記ソレノイド２，２がプランジャ３，３を駆動する方向は施錠棒５が移動する方向に平行なので、従来におけるソレノイドの駆動力の方向を変換する変換部材は必要ない。したがって、この電磁錠１は部品点数が少なく構造が簡単なので、故障し難く、製造コストも安価である。
【００３０】
図６は上記プランジャ３と上記連結部材６の連結部分を示した断面図である。上記プランジャ３と連結部材６は皿ビス４０で連結されており、この皿ビス４０の皿部下面と、連結部材６に設けた皿穴の上面との間に、弾性部材の１例としてのＯリング４１を配置している。このＯリング４１によって、上記プランジャ３と上記連結部材６とが柔軟に連結されている。そのため、上記２個のソレノイド２，２が起動するときに、上記２個のプランジャ３，３を駆動するタイミングがずれても、上記Ｏリング４１がこのタイミングのずれを吸収する。したがって、連結部材６で連結された２個のプランジャ３，３は、ソレノイド２，２の中で、いわゆるこじれを生じることなく滑らかに駆動されて、施錠棒５を滑らかかつ確実に駆動することができる。また、プランジャ３，３と施錠棒５と連結部材６の加工精度が多少低くても、上記Ｏリング４１が加工誤差を吸収して、プランジャ３，３および連結部材６を滑らかに駆動することができる。
【００３１】
上記実施の形態は、図示しないスプリングで施錠棒５を突出方向に付勢して、ソレノイド２，２に通電しないときに施錠棒５を係合部材２５に係合させて施錠する、いわゆる停電施錠型の電磁錠であるが、上記スプリングの付勢方向を逆にして、ソレノイドに通電しないときに施錠棒を没入方向に付勢する一方、ソレノイドに通電して施錠棒を突出させて係合部材に係合させる、いわゆる通電施錠型の電磁錠でもよい。
【００３２】
上記実施の形態は、可撓部材の１例としてワイヤ１１を設けたが、例えば紐や鎖等の他のものでもよい。
【００３３】
上記実施の形態は、プランジャ３，３と連結部材６を、Oリング４１を介して連結したが、例えば弱い皿バネ等のバネを介在させて連結しても良い。要はプランジャ３，３と連結部材６を柔軟に連結するものであれば、どのようなものであってもよい。
【００３４】
上記実施の形態は、電磁錠１は、扉の上方に配置された自動扉開閉装置の中に設けたが、幅と高さが比較的小さい場所に奥行きを有効に利用して設置するのであれば、どこに設けてもよい。
【００３５】
【発明の効果】
以上より明らかなように、請求項１の発明の自動扉開閉装置の電磁錠によれば、２個のソレノイドを扉の厚み方向に平行に配置して、上記２個のソレノイドのプランジャに平行に配置した施錠棒を駆動するので、電磁錠の奥行きを有効に利用して幅と高さを小さくして、電磁錠を小型にできるとともに、上記プランジャは上記施錠棒の移動方向に平行に駆動されるので、従来のソレノイドの力の方向を変換するホークは不要で、電磁錠を構成する部品を少なくでき、かつ、電磁錠の構造を簡単にできる。したがって、この電磁錠は故障し難く、製造コストは安価であって、さらに、ソレノイドは比較的小さい電力で作動するので電磁錠の効率が良い。
【００３６】
請求項２の発明の自動扉開閉装置の電磁錠によれば、施錠棒に直接または間接に接続した可撓部材を介して上記施錠棒を手動操作できるので、停電等でソレノイドに通電できなくなった場合に、手動で自動扉のロックを操作できる。
【００３７】
請求項３の発明の自動扉開閉装置の電磁錠によれば、プランジャを起動するときに電気回路がソレノイドに高電圧を印加するので、この電磁錠は確実に上記施錠棒を駆動して施錠または解錠でき、また、上記プランジャを保持するときには上記電気回路がソレノイドに低電圧を印加するので、少ないエネルギーで施錠状態または解錠状態を保ち、かつ、コイルの耐久性を増すことができる。
【００３８】
請求項４の発明の自動扉開閉装置の電磁錠によれば、連結部材と２個のプランジャを、弾性部材を介して互いに柔軟に連結しているので、２個のソレノイドが２個のプランジャを起動するタイミングが完全に一致しなくても、上記弾性部材が上記２個のソレノイドの起動のずれを吸収して、上記プランジャは滑らかに駆動され、その結果、上記電磁錠は確実に施錠または解錠する。また、プランジャと施錠棒と連結部材の加工精度が多少低くても、弾性部材が加工誤差を吸収して、電磁錠を滑らかに作動させることができる。
【図面の簡単な説明】
【図１】  この発明の実施の形態である自動扉開閉装置の電磁錠の正面図である。
【図２】  図１に示した自動扉開閉装置の電磁錠の平面図である。
【図３】  図１に示した自動扉開閉装置の電磁錠の側面図である。
【図４】  図１に示した自動扉開閉装置の電磁錠を備えた自動扉開閉装置の構造を示す正面図である。
【図５】  図１に示した自動扉開閉装置の電磁錠が備える回路を示す図である。
【図６】  図１に示した自動扉開閉装置の電磁錠において、プランジャと連結部材との連結部分を示す断面図である。
【図７】  従来の自動扉開閉装置の電磁錠を示す正面図である。
【符号の説明】
１  電磁錠
２  ソレノイド
３  プランジャ
５  施錠棒
６  連結部材
７  取付け部材
【図１】
0003692275.tif 000002
【図２】
0003692275.tif 000003
【図３】
0003692275.tif 000004
【図４】
0003692275.tif 000005
【図５】
0003692275.tif 000006
【図６】
0003692275.tif 000007
【図７】
0003692275.tif 000008